(57)【要約】【課題】同一波形取込み期間内の波形データについても、表示画面上で表示輝度の違いに基づき個別に波形を識別できる波形表示装置および波形表示方法を実現すること。【解決手段】波形取込み期間内に多数の波形データを取り込んで重ね描き表示する波形表示装置において、取込み波形単位で時間情報を保持する時間情報保持手段と、この時間情報保持手段に保持された取込み波形単位の時間情報に基づき各波形データの表示輝度を制御する表示輝度制御手段、を設けたことを特徴とするもの。【選択図】                    図１
2008281515.tif 000002
【特許請求の範囲】
【請求項１】
波形取込み期間内に多数の波形データを取り込んで重ね描き表示する波形表示装置において、
取込み波形単位で時間情報を保持する時間情報保持手段と、
この時間情報保持手段に保持された取込み波形単位の時間情報に基づき各波形データの表示輝度を制御する表示輝度制御手段、
を設けたことを特徴とする波形表示装置。
【請求項２】
前記時間情報保持手段は、トリガ時間カウンタと、このトリガ時間カウンタのカウント値を保持するトリガ時間メモリと、任意に設定される残像表示時間データを格納する残像表示時間メモリと、トリガ時間メモリに格納されているトリガ時間データと残像表示時間メモリに格納されている残像表示時間データに基づく輝度諧調に対応した残像表示時間とを比較する時間比較部を備えていることを特徴とする請求項１記載の波形表示装置。
【請求項３】
前記表示輝度制御手段は、トリガ時間の差分よりも輝度諧調に対応した残像表示時間が短い場合にその時間差に応じて表示輝度を下げることを特徴とする請求項１記載の波形表示装置。
【請求項４】
多数の波形データを取り込む波形取込みステップと、
波形取込みステップで取り込んだ波形データの取込み波形単位の時間情報に基づく累積頻度数を表示画面領域の各ドットに対応するように設けられている頻度メモリに格納する重ね描きステップと、
重ね描きステップで頻度メモリに格納された波形データの累積頻度数に基づき輝度表示を行う表示処理ステップを含むことを特徴とする波形表示方法。
【発明の詳細な説明】
【技術分野】
【０００１】
本発明は、波形表示装置および波形表示方法に関し、詳しくは、波形の残像表示に関するものである。
【背景技術】
【０００２】
図４は、従来の残像表示機能を有する波形表示装置の概念ブロック図である。図４において、入力端子１に入力される被測定信号は、アンプ２を介してＡ／Ｄ変換器３に入力されてデジタル信号に変換されるとともに、トリガ回路４に入力されてあらかじめ設定されているトリガレベルなどのトリガ条件成立の有無が検出される。これらＡ／Ｄ変換器３の出力信号およびトリガ回路４のトリガ検出信号はデータ処理回路５に入力される。
【０００３】
データ処理回路５は、図５のタイミングチャートに示すように、所定の波形取込み期間内において、トリガ回路４からトリガ検出信号が入力される毎に、アクイジションメモリ６への波形データの書き込みを最大ｎ回ずつ行う。
【０００４】
また、データ処理回路５は、アクイジションメモリ６にｎ回書き込んだ波形データを重ね描きするために、表示画面領域の各ドットに対応するように設けられている頻度メモリ５１に波形データの累積頻度数を格納する。
【０００５】
そして、頻度メモリ５１に格納されている波形データの累積頻度数に基づき波形取込み期間内における波形データ全体のドット密度に対する階調表現（輝度コード化）処理を施した後、表示処理回路７へ転送する。
【０００６】
表示処理回路７は、前回の表示処理からの経過時間と重ね描きした波形データ全体のドット密度に基づいて表示輝度を下げることにより、波形の残像表示時間を制御する。具体的には、図５の「重ね描き１」における前回の重ね描きドット密度に応じた表示輝度を下げて「重ね描き２」における今回の重ね描きと合成して表示メモリ８に格納するとともに表示器９に表示する。
【０００７】
このようにして表示処理回路７により設定される波形の残像表示時間は、図５の各波形取込み期間の相互間で有効となる。「重ね描き１」を反映させた表示処理１に基づく波形表示は、「重ね描き２」を反映させた表示処理２に基づく波形表示にあたり、表示処理１から表示処理２までの表示処理経過時間と「重ね描き１」の波形データ全体の重ね描きドット密度に基づいて表示輝度を下げることにより表示される。
【０００８】
【特許文献１】特開平０４−０５０６６１号公報
【特許文献２】特開２０００−０２８６４６号公報
【０００９】
特許文献１には、波形の発生頻度情報を輝度変化として表示するデジタルオシロスコープの構成が記載されている。そして、特許文献２には、デジタルオシロスコープのラスタメモリに蓄積された波形を、残像を持たせながら減衰させる残像減衰方法が記載されている。
【発明の開示】
【発明が解決しようとする課題】
【００１０】
しかし、従来の構成における残像表示時間制御では、前回の表示処理から今回の表示処理までの表示処理経過時間のみを反映させていて、図５の各波形取込み期間において取り込まれる複数の波形データＷＤ１１〜ＷＤ１ｎやＷＤ２１〜ＷＤ２ｎの時間関係は考慮していない。たとえば波形データＷＤ１１とＷＤ１ｎのドット密度が同一であっても、「重ね描き１」を反映させた表示処理１に基づく波形表示は、「重ね描き２」を反映させた表示処理２に基づく波形表示にあたり、表示処理１から表示処理２までの表示処理経過時間と「重ね描き１」の波形データ全体の重ね描きドット密度に基づき一律に表示輝度を下げて表示されることになり、波形取込み期間内の個々の波形データに対して残像表示時間の設定は無意味なものになる。
【００１１】
また、図５の波形取込み期間１における波形データＷＤ１１とＷＤ１ｎや、波形取込み期間２における波形データＷＤ２１〜ＷＤ２ｎについては、それぞれの波形取込み期間における各波形データ間の時間経過を表現できない。
【００１２】
この結果、同一波形取込み期間内に多数の波形が取り込まれた場合には、図６に示すように同一輝度で多数の波形が表示されることになり、表示画面上で個々の波形を識別することは困難になる。
【００１３】
本発明は、これら従来の問題点に着目したものであり、その目的は、同一波形取込み期間内の波形データについても、表示画面上で表示輝度の違いに基づき個別に波形を識別できる波形表示装置および波形表示方法を実現することにある。
【課題を解決するための手段】
【００１４】
このような課題を達成する請求項１の発明は、
波形取込み期間内に多数の波形データを取り込んで重ね描き表示する波形表示装置において、取込み波形単位で時間情報を保持する時間情報保持手段と、この時間情報保持手段に保持された取込み波形単位の時間情報に基づき各波形データの表示輝度を制御する表示輝度制御手段、を設けたことを特徴とする。
【００１５】
請求項２の発明は、請求項１記載の波形表示装置において、前記時間情報保持手段は、トリガ時間カウンタと、このトリガ時間カウンタのカウント値を保持するトリガ時間メモリと、任意に設定される残像表示時間データを格納する残像表示時間メモリと、トリガ時間メモリに格納されているトリガ時間データと残像表示時間メモリに格納されている残像表示時間データに基づく輝度諧調に対応した残像表示時間とを比較する時間比較部を備えていることを特徴とする。
【００１６】
請求項３の発明は、請求項１記載の波形表示装置において、前記表示輝度制御手段は、トリガ時間の差分よりも輝度諧調に対応した残像表示時間が短い場合にその時間差に応じて表示輝度を下げることを特徴とする。
【００１７】
請求項４の発明は、多数の波形データを取り込む波形取込みステップと、波形取込みステップで取り込んだ波形データの取込み波形単位の時間情報に基づく累積頻度数を表示画面領域の各ドットに対応するように設けられている頻度メモリに格納する重ね描きステップと、重ね描きステップで頻度メモリに格納された波形データの累積頻度数に基づき輝度表示を行う表示処理ステップを含むことを特徴とする波形表示方法である。
【発明の効果】
【００１８】
これらにより、同一波形取込み期間内の波形データについても、表示画面上で表示輝度の違いに基づいて個別に波形を識別できる。
【発明を実施するための最良の形態】
【００１９】
以下、本発明について、図面を用いて説明する。図１は本発明の具体例を示すブロック図であり、図４と共通する部分には同一の符号を付けている。図１において、時間情報部１０は、トリガ時間カウンタ１０１と、トリガ時間メモリ１０２と、残像表示時間メモリ１０３と、時間比較部１０４を備えている。
【００２０】
トリガ時間カウンタ１０１は、アクイジションメモリ６への書き込みタイミングと等しいサンプリング分解能を有している。トリガ時間メモリ１０２は、トリガ回路４で検出されたトリガタイミング時のトリガ時間カウンタ１０１のカウント値を保持する。具体的には、波形データとは別に、取込み波形１枚単位毎のカウンタ値を格納する。残像表示時間メモリ１０３は、ユーザーが任意に設定するたとえば１０ｍｓから１０ｓまでの残像表示時間データを格納する。時間比較部１０４は、トリガ時間メモリ１０２に格納されているトリガ時間データと残像表示時間メモリ１０３に格納されている残像表示時間データに基づく輝度諧調に対応した残像表示時間とを比較する。
【００２１】
データ処理回路５は、以下のように表示輝度制御手段としても動作する。
波形取込み期間内においてｎ回取り込まれる波形データを最新の波形データから重ねていく。このとき、時間比較部１０４は、トリガ時間メモリ１０２に格納されている最新波形のトリガ時間情報と他の波形のトリガ時間との差分と、残像表示時間メモリ１０３に格納されている設定残像表示時間に基づく輝度諧調に対応した残像表示時間とを比較する。
【００２２】
たとえば図２に示すように、重ね描きする波形データのデータ点数(密度数)に比例して１０階調の輝度で表示するように設定されて各輝度に対応するように波形データのデータ点数(密度数)に対する階調変換しきい値が１０段階で設定されているものとし、設定された残像表示時間を１００ｍｓとし、残像表示時間間隔１０ｍｓで１階調ずつ落としながら１０階調の輝度で表示するものとする。
【００２３】
データ処理回路５は、トリガ時間の差分が１０ｍｓ以上で２０ｍｓ未満の場合には重ねる波形データのデータ点数(密度数)に対応する表示輝度から１階調下げるようにし、２０ｍｓ以上で３０ｍｓ未満の場合には２階調下げるようにし、以下同様に８０ｍｓ以上で９０ｍｓ未満の場合には８階調下げるようにする。そして、最低しきい値以下の場合は輝度０とすることで波形は消えることになる。これらの表示輝度データは重ね描きされる毎に逐次頻度メモリ５１に波形データの累積頻度数として格納され、一連の重ね描きを終えた時点で階調変換表示される。
【００２４】
図３は、本発明に基づく表示画面例図である。図３に表示されている個々の波形の表示輝度には明確な明暗が与えられているので、これら表示輝度の明暗から各波形の時間経過情報を的確に識別できる。
【００２５】
なお、トリガ時間の差分よりも輝度諧調に対応した残像表示時間の方が長い場合は、従来と同様に、波形データのデータ点数(密度数)に対応する表示輝度を下げることなく、波形データの累積頻度数として頻度メモリ５１に逐次格納する。
【００２６】
以上説明したように、本発明によれば、表示への転送サイクルに依存しない同一取込み期間内に取り込まれる複数の波形データにおいても、表示画面上で表示輝度の違いに基づき個別に波形を明確に識別できる波形表示装置が実現できる。
【図面の簡単な説明】
【００２７】
【図１】本発明の具体例を示すブロック図である。
【図２】波形データのデータ点数(密度数)と輝度と階調変換しきい値の関係を示す説明図である。
【図３】本発明に基づく表示画面例図である。
【図４】従来の残像表示機能を有する波形表示装置の概念ブロック図である。
【図５】図４の動作を説明するタイミングチャートである。
【図６】図４の表示画面例図である。
【符号の説明】
【００２８】
１  入力端子
２  アンプ
３  Ａ／Ｄ変換器
４  トリガ回路
５  データ処理回路
６  アクイジションメモリ
７  表示処理回路
８  表示メモリ
９  表示器
１０  時間情報部
１０１  トリガ時間カウンタ
１０２  トリガ時間メモリ
１０３  残像表示時間メモリ
１０４  時間比較部
【図１】
2008281515.tif 000003
【図２】
2008281515.tif 000004
【図３】
2008281515.tif 000005
【図４】
2008281515.tif 000006
【図５】
2008281515.tif 000007
【図６】
2008281515.tif 000008